(57)【要約】【課題】携帯機器に備えたＩＣカード機能の使用の可否を制御可能とする技術を提供する。【解決手段】ＩＣカード機能を実行するＩＣカード部と、少なくとも通信及び／又は表示の機能を実行する機能部とを備える携帯機器が、前記ＩＣカード部及び前記機能部に電力を供給する電池部の残量を検知し、該検知した残量に応じてＩＣカード機能の使用の可／不可を判定し、前記判定結果に応じて前記ＩＣカード部に使用の可／不可を指示する。【選択図】図１
2008211849.tif 000002
【特許請求の範囲】
【請求項１】
ＩＣカード機能を実行するＩＣカード部と、
少なくとも通信及び／又は表示の機能を実行する機能部と、
少なくとも前記ＩＣカード部及び前記機能部に電力を供給する電池部と、
該電池部の残量を検知する電源監視部と、
該電源監視部で検知した残量に応じてＩＣカード機能の使用の可／不可を判定し、この判定結果を出力する制御部と、
前記判定結果を受信して前記ＩＣカード部に使用の可／不可を指示し、この可／不可状態を前記制御部の非動作時にも保持する指示保持部と、
を備えた携帯機器。
【請求項２】
前記電源監視部は前記電池部の残量として該電池部からの電圧を検知し、
前記電源監視部で検知した電圧が第一の閾値以下となった場合に、前記指示保持部から前記ＩＣカード部に使用可を指示させると共に前記機能部を停止させ、前記電源監視部で検知した電圧が第二の閾値以下となった場合に、前記指示保持部から前記ＩＣカード部に使用不可を指示させる請求項１に記載の携帯機器。
【請求項３】
ＩＣカード機能を実行するＩＣカード部と、少なくとも通信及び／又は表示の機能を実行する機能部とを備える携帯機器が行うＩＣカード機能の制御方法であって、
前記ＩＣカード部及び前記機能部に電力を供給する電池部の残量を検知するステップと、
該検知した残量に応じてＩＣカード機能の使用の可／不可を判定するステップと、
前記判定結果に応じて前記ＩＣカード部に使用の可／不可を指示するステップと、
を含むＩＣカード機能の制御方法。
【請求項４】
前記電池部の残量として該電池部からの電圧を検知し、
前記検知した電圧が第一の閾値以下となった場合に、前記ＩＣカード部に使用可を指示させると共に前記機能部を停止させ、前記検知した電圧が第二の閾値以下となった場合に、前記ＩＣカード部に使用不可を指示させる請求項３に記載のＩＣカード機能の制御方法。
【請求項５】
ＩＣカード機能を実行するＩＣカード部と、少なくとも通信及び／又は表示の機能を実行する機能部とを備える携帯機器が行うＩＣカード機能の制御プログラムであって、
前記ＩＣカード部及び前記機能部に電力を供給する電池部の残量を検知するステップと、
該検知した残量に応じてＩＣカード機能の使用の可／不可を判定するステップと、
前記判定結果に応じて前記ＩＣカード部に使用の可／不可を指示するステップと、
を含むＩＣカード機能の制御プログラム。
【請求項６】
前記電池部の残量として該電池部からの電圧を検知し、
前記検知した電圧が第一の閾値以下となった場合に、前記ＩＣカード部に使用可を指示させると共に前記機能部を停止させ、前記検知した電圧が第二の閾値以下となった場合に、前記ＩＣカード部に使用不可を指示させる請求項５に記載のＩＣカード機能の制御プログラム。
【発明の詳細な説明】
【技術分野】
【０００１】
本発明は、携帯端末に備えたＩＣカードの機能を制御する技術に関する。
【背景技術】
【０００２】
近年、旧来の磁気カードに代わって、ＩＣカードが普及し始めている。このＩＣカードは、内部にＩＣチップを備え、多くの情報を記憶できると共に、簡単な処理を行うことができるため、様々なサービスへの応用が期待されている。
【０００３】
例えば、このＩＣカード機能を携帯電話や腕時計などの携帯機器に設け、この携帯機器を電車の定期券や、プリペイドカード、イベントのチケット、ＩＤカードなどとして利用することが提案されている。
このように、携帯電話や腕時計等へＩＣカード機能を設けることで、電源やインターフェイスを共用できることや、携帯電話網を介したＩＣカードのサービスが可能になる等のメリットがある。
【０００４】
本願発明に関連する先行技術として、例えば、下記の特許文献１乃至２に開示される技術がある。
【特許文献１】特開２００１−２９７３１５号公報
【特許文献２】特開２００３−２５０１８３号公報
【発明の開示】
【発明が解決しようとする課題】
【０００５】
上述のように、携帯機器にＩＣカード機能を設けた場合、クレジットカードやＩＤカードなどとして種々に使用可能であり、この携帯機器を置き忘れたり盗難にあったりして不正使用された場合の被害が大きくなりやすいという問題があった。
【０００６】
また、この携帯機器が電池切れで使用できなくなった場合に、同時にＩＣカード機能が使用できなくなると、例えばクレジットカード機能による支払いや定期券の機能による改札も利用できなくなってしまい問題であった。
そこで本発明は、携帯機器に備えたＩＣカード機能の使用の可否を制御可能にする技術を提供する。
【課題を解決するための手段】
【０００７】
本発明のＩＣカード機能を有した携帯機器は、
ＩＣカード機能を実行するＩＣカード部と、
少なくとも通信及び／又は表示の機能を実行する機能部と、
前記機能部の動作に応じてＩＣカード機能の使用の可／不可を判定し、この判定結果を出力する制御部と、
前記判定結果を受信して前記ＩＣカード部に使用の可／不可を指示し、この可／不可状態を前記制御部の非動作時にも保持する指示保持部とを備える。
前記携帯機器において、
前記機能部として、ユーザからの情報の入力を受ける入力部を備え、
前記制御部が、該入力部からの入力情報に応じてＩＣカード機能の使用の可／不可を判定しても良い。
前記入力部からの入力情報が、パスワード又はバイオメトリックス情報であっても良い。
前記ＩＣカード部が複数の機能を有し、
前記制御部が、該機能毎に使用の可／不可を判定し、
前記指示保持部が、該機能毎に使用の可／不可を指示しても良い。
前記機能部として、他の装置との通信を行う通信部を備え、
前記制御部が、該通信部で受信した信号に応じてＩＣカード機能の使用の可／不可を判定しても良い。
【０００８】
少なくとも前記ＩＣカード部及び前記機能部に電力を供給する電池部と、
該電池部からの電圧を検知する電源監視部とを備え、
該電源監視部で検知した電圧が所定値以下となった場合に、前記指示保持部から前記ＩＣカード部に使用不可を指示させても良い。
【０００９】
該電源監視部で検知した電圧が第一の閾値以下となった場合に、前記指示保持部から前記ＩＣカード部に使用可を指示させると共に前記機能部を停止させ、前記電源監視部で検知した電圧が第二の閾値以下となった場合に、前記指示保持部から前記ＩＣカード部に使用不可を指示させても良い。
前記指示保持部が指示した可／不可の情報を記憶する記憶部を備え、
前記電池部が着脱された場合に、前記制御部がこの着脱前の可／不可の情報を前記記憶部から読み出し、前記指示保持部にこの着脱前の可／不可と同じ指示をさせても良い。
【００１０】
また、本発明のＩＣカード機能を有する携帯機器は、
ＩＣカード機能を実行するＩＣカード部と、
無線電話回線を介して通信を行う通信部と、
少なくとも前記ＩＣカード部及び前記通信部に電力を供給する電池部と、
該電池部からの電圧を検知する電源監視部と、
該電源監視部で検知した電圧値に応じてＩＣカード機能の使用の可／不可を判定し、この判定結果を出力する制御部と、
前記判定結果を受信して前記ＩＣカード部に使用の可／不可を指示し、この可／不可状態を前記制御部の非動作時にも保持する指示保持部とを備えた。
前記電源監視部で検知した電圧が第一の閾値以下となった場合に、前記指示保持部から前記ＩＣカード部に使用可を指示させると共に前記通信部を停止させ、前記電源監視部で検知した電圧が第二の閾値以下となった場合に、前記指示保持部から前記ＩＣカード部に使用不可を指示させても良い。
【００１１】
本発明のＩＣカード機能の制御方法は、
ＩＣカード機能を実行するＩＣカード部と、少なくとも通信及び／又は表示の機能を実行する機能部とを備える携帯装置が行うＩＣカード機能の制御方法であって、
前記機能部の動作に応じてＩＣカード機能の使用の可／不可を判定するステップと、
この判定結果に応じて前記ＩＣカード部に使用の可／不可を指示するステップと、を含む。
前記機能部として、ユーザからの情報の入力を受ける入力部を備えている場合に、
この入力部からの入力情報に応じてＩＣカード機能の使用の可／不可を判定しても良い。
前記入力情報が、パスワード又はバイオメトリックス情報であっても良い。
前記ＩＣカード部が複数の機能を有している場合に、
前記ＩＣカード機能の使用の可／不可を判定するステップにて、この機能毎に使用の可／不可を判定し、
前記使用の可／不可を指示するステップにて、該機能毎に使用の可／不可を指示しても良い。
【００１２】
前記機能部として、他の装置との通信を行う通信部を備えた場合に、
前記ＩＣカード機能の使用の可／不可を判定するステップにて、該通信部で受信した信号に応じてＩＣカード機能の使用の可／不可を判定しても良い。
前記ＩＣカード部及び前記機能部に電力を供給する電池部の電圧を検知するステップと、
該検知した電圧が所定値以下となった場合に、前記ＩＣカード部に使用不可を指示させても良い。
前記検知した電圧が第一の閾値以下となった場合に、前記ＩＣカード部に使用可を指示させると共に前記機能部を停止させ、前記検知した電圧が第二の閾値以下となった場合に、前記ＩＣカード部に使用不可を指示させても良い。
前記電池部が着脱された場合に、この着脱前の可／不可の情報を記憶部から読み出し、前記ＩＣカード部にこの着脱前の可／不可と同じ指示をしても良い。
【００１３】
また、本発明のＩＣカード機能の制御方法は、
ＩＣカード機能を実行するＩＣカード部と無線電話回線を介して通信を行う通信部とを備える携帯機器が行うＩＣカード機能の制御方法であって、
前記ＩＣカード部及び前記通信部に電力を供給する電池部の電圧を検知するステップと、
該検知した電圧値に応じてＩＣカード機能の使用の可／不可を判定するステップと、
前記判定結果に応じて前記ＩＣカード部に使用の可／不可を指示するステップと、
を含む。
【００１４】
前記検知した電圧が第一の閾値以下となった場合に、前記ＩＣカード部に使用可を指示させると共に前記通信部を停止させ、前記検知した電圧が第二の閾値以下となった場合に、前記ＩＣカード部に使用不可を指示させても良い。
【００１５】
また、本発明は、上記ステップをコンピュータに実行させるプログラムであっても良い。更に、本発明は、このプログラムをコンピュータが読み取り可能に記録した記録媒体であっても良い。そして、コンピュータに、この記録媒体のプログラムを読み込ませて実行させることにより、その機能を提供させることができる。
【００１６】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
また、コンピュータに固定された記録媒体としてハードディスクやＲＯＭ（リードオンリーメモリ）等がある。
【発明の効果】
【００１７】
本発明によれば、携帯機器に備えたＩＣカード機能の使用の可否を制御可能とする技術を提供できる。
【発明を実施するための最良の形態】
【００１８】
以下、図面を参照して本発明を実施するための最良の形態について説明する。以下の実施の形態の構成は例示であり、本発明は実施の形態の構成に限定されない。
【００１９】
〈全体構成〉
図１は、本発明に係る携帯機器の概略構成図である。本実施形態のＩＣカード機能付携帯電話Ｃは、音声制御部３やＲＦ部（通信部）７、表示部４、操作部５、生体認証部（指紋センサー）１０等の機能部と、メモリ部９、指示保持部１１、コントロール部（制御部
）８、ＩＣカード部１２、電圧監視ＩＣ（電源監視部）２１ａ，２１ｂを備えている。
【００２０】
音声制御部３は、マイク１から入力された音声を音声信号に変換してコントロール部８に入力すると共に、コントロール部８からの音声信号に基づいてスピーカ２から音声を出力する。
また、ＲＦ部７は、コントロール部８からの信号を携帯電話用アンテナ６で電波として発信し、ネットワーク（無線電話回線やインターネット等）１７を介して他の電話機１６やオンライン接続用サーバ１８に接続する。
【００２１】
操作部（入力部）５は、数字やアルファベットを入力するための入力ボタンやメニュー選択用のポインティングデバイスなどを有している。
表示部（ＬＣＤ）は、コントロール部８の制御により、電話番号やメールの内容等を表示する。
【００２２】
メモリ部（記憶部）９は、不揮発性のメモリ（本例ではFlash-ROM）であり、電話番号
やメールアドレス等を記憶するユーザ領域と認証データや条件テーブル、ユーザ管理テーブル、可／不可情報等を記憶するシステム領域を有している。
生体認証部（入力部）１０は、ユーザのバイオメトリックス情報を読み取ってコントロール部８に入力する。本例では、指紋センサーを用いており、該生体認証部１０の検出面に触れたユーザの指紋情報を読み取ってコントロール部８に入力している。なお、バイオメトリックス情報は、これに限らず虹彩や声紋、血管パターンの情報であっても良い。コントロール部８は、入力されたバイオメトリックス情報をメモリ部９に登録されている情報と比較して認証を行う。
【００２３】
これらの構成１〜１０により、例えばユーザが操作部５を操作して電話の機能を選択した場合、コントロール部８がメモリ部９から読み出した電話番号の一覧（アドレス帳）を表示して相手先の選択を促し、相手先が選択されるとＲＦ部７を制御して当該相手先の電話機に接続して通話を行う。
【００２４】
ＩＣカード部１２は、ＩＣカード機能を実行するためのＬＳＩであり、ＩＣカード機能用アンテナ１４を介してＩＣカード用の端末（リーダ・ライタ）１５と接続し、カード情報の通信を行うことで、ＩＣカード機能を実行する。
また、ＩＣカード部１２は、ＩＣカード機能に係る情報をコントロール部８と通信するための通信端子を備え、コントロール部８からＩＣカード１２への書き込みや、ＩＣカード部１２からコントロール部８への通知を行えるようにしている。
このＩＣカード部１２には、使用可否端子（Enable/Disableピン）が設けられており、この端子への入力信号がＨｉｇｈであればＩＣカード機能が使用可となり、Ｌｏｗであれば使用不可となる。
【００２５】
指示保持部１１は、図２に示すフリップフロップ回路であり、コントロール部８及び電源監視部２１ａからの入力に応じてＩＣカード部１２の使用可否端子への信号をＨｉｇｈ又はＬｏｗとすることでＩＣカード機能の使用可／不可を指示している。
また、電池部２２は、上記の各部に電力を供給する電源であり、上記の各部を内蔵した筺体１００に対して着脱可能に取り付けられている。
【００２６】
電源監視部２１ａは、電池部２２の残量を監視し、該残量に応じてＩＣカード機能の使用可／不可を指示保持部１１に通知する。本例では、この電源監視部として電圧監視ＩＣを採用し、電池部２２の電圧を所定の閾値と比較してこの比較結果に応じてフリップフロップ指示保持部）１１のＸＣＬＲ入力への信号レベルを選択することでＩＣカード機能の使用可／不可を通知する。
また、電源監視部２１ｂは、後述のように、電池部２２の残量を監視し、該残量に応じて機能部等への電力供給の停止をコントロール部８に通知する。
【００２７】
なお、本実施形態の携帯機器は、各部がそれぞれ専用のハードウェアで構成したが、本発明の携帯機器は、ＣＰＵやメモリ等を備えた汎用のコンピュータがソフトウェア（ＩＣカード機能の制御プログラム）に従って上記各部１〜１１の機能を実現する構成であっても良い。
【００２８】
〈直接入力による使用可／不可の制御〉
図３，図４は、キー操作でＩＣカード機能の使用可／不可を制御する方法の説明図である。
まず、ユーザが操作部５から機能設定メニューを選択し（ステップ１、以下Ｓ１のように略記する）、ＩＣカード機能の使用可／不可設定であれば（Ｓ２）、指紋の入力待ち表示を行う（Ｓ３）。
【００２９】
ユーザが生体認証部１０から指紋情報を入力すると（Ｓ４）、コントロール部８がメモリ部９を参照して登録者の指紋情報と一致するか否かを判定する（Ｓ５）。
判定の結果、不一致であればステップ３に戻って入力待ちとし、一致すればＩＣカードの使用可／不可設定の入力待ち表示を行う（Ｓ６）。
【００３０】
ユーザが使用可／不可の選択を入力し（Ｓ７）、この入力が使用可であればコントロール部８が指示保持部１１に使用可を指示する。即ち図２に示すフリップフロップ（指示保持部）１１のＤ入力にＨｉｇｈ信号を入力すると共にＣＬＫを１発入力する（Ｓ８，９）。これにより、指示保持部１１がＩＣカード部１２の使用可否端子に、使用可を指示（Ｈｉｇｈ信号の入力）してこれを保持し（Ｓ１０）、ＩＣカード部１２を使用可の状態とさせる（Ｓ１１）。
【００３１】
一方、ステップ７で、使用不可が入力された場合には、コントロール部８が指示保持部１１に使用不可を指示する。即ち図２に示すフリップフロップ（指示保持部）１１のＤ入力にＬｏｗ信号を入力すると共にＣＬＫを１発入力する（Ｓ８，Ｓ１２）。これにより、指示保持部１１がＩＣカード部１２の使用可否端子に、使用不可を指示（Ｌｏｗ信号の入力）してこれを保持し（Ｓ１３）、ＩＣカード部１２を使用不可の状態とさせる（Ｓ１４）。
【００３２】
〈遠隔操作による使用可／不可の制御〉
また、図５〜７は、ＩＣ機能の使用可否を遠隔操作で制御する方法の説明図である。
ユーザが本例の携帯電話Ｃへ電話をかけ（Ｓ２１）、ネットワーク１７を構成する交換機が携帯電話Ｃへの発呼処理を行い（Ｓ２２）、当該携帯電話Ｃの着呼処理を行って通話を開始させる（Ｓ２３）。携帯電話Ｃのコントロール部８は、この通話（即ち通信部の動作）に応じて遠隔ロックの条件を満たすか否かの判定を行う（Ｓ２４）。
【００３３】
この条件を満たした場合には、コントロール部８が指示保持部１１に使用不可を指示し（Ｓ２５）、指示保持部１１がＩＣカード部１２の使用可否端子に、使用不可を指示（Ｌｏｗ信号の入力）してこれを保持し（Ｓ２６）、ＩＣカード部１２を使用不可の状態とさせる（Ｓ２７）。
【００３４】
このときステップ２４では、コントロール部８が、メモリ部９に予め記憶された条件、本例では所定時間内に所定の電話番号（監視番号）の着信を所定回数以上受けることを条件とし、これを満たした場合に遠隔ロック（通信による使用不可の設定）であると判定して指示保持部１１に使用不可を通知する。図７は、この判定処理の説明図である。
【００３５】
コントロール部８は、着信があると（Ｓ３１）、メモリ部９を参照し、遠隔ロック設定中であるか否かを判定し（Ｓ３２）、遠隔ロックを禁止している場合には処理を終了し、遠隔ロックを許可している（設定中）のであれば、監視中（着信回数のインクリメントを行っているか）であるか否かを判定する（Ｓ３３）。
【００３６】
ステップ３３で監視中でなければ、コントロール部８は、発番号が監視番号であるか否かを判定し（Ｓ４１）、監視番号であり、既にＩＣカード部が使用不可（ロック中）でなければ、監視を開始し（Ｓ４２，Ｓ４３）、そうでなければ処理を中止する。
一方、ステップ３３で監視中であれば、発番号が監視番号であるか否かを判定し（Ｓ３４）、監視番号であれば着信回数をインクリメントする（Ｓ３５）。
【００３７】
コントロール部８は、現在の着信回数が所定回数以上であるか否かを判定し、所定回数未満であれば引き続き監視中とし、所定回数以上であれば監視を停止する（Ｓ３６）。次にコントロール部８は、既にＩＣカード部１２がロック中であるか否かを判定し、ロック中でなければ、「ＩＣカード機能を停止する」旨の自動応答メッセージを通知し、ＩＣカード機能の使用不可を指示保持部１１に通知する。
また、図８，図９は、トーン入力によってパスワードを入力して使用可／不可を制御する方法の説明図である。
【００３８】
ユーザが本例の携帯電話Ｃへ電話をかけ（Ｓ２１）、ネットワーク１７が携帯電話Ｃへの発呼処理を行い（Ｓ２２）、当該携帯電話Ｃの着呼処理を行って通話を開始させる（Ｓ２３）。
携帯電話Ｃのコントロール部８は、この通話（即ち通信部の動作）に応じて遠隔ロックの条件を満たすか否かの判定を開始し、先ず遠隔操作の指示待ちとなる（Ｓ４４）。
【００３９】
ユーザが電話機の数字キーを例えば”０１２３”のように遠隔操作の開始を示す順で押すと、対応するトーン信号が携帯電話Ｃに入力される（Ｓ４５）。このトーン信号がＩＣカード機能の使用可／不可を設定するための信号であれば（Ｓ４６）、携帯電話Ｃはパスワードの入力待ちである旨のアナウンスを送信する（Ｓ４７）。
【００４０】
ユーザがパスワードをトーン信号で入力すると（Ｓ４８）、コントロール部８がメモリ部９を参照し、予め登録されているパスワードと一致するか否かを判定し、一致すればＩＣカードの使用可／不可設定の入力待ちアナウンスを行う（Ｓ６）。
【００４１】
以下、図３と同様にユーザが使用可／不可の選択をトーン信号で入力し（Ｓ７）、この入力が使用可であればコントロール部８が指示保持部１１に使用可を指示する。（Ｓ８，９）。これにより、指示保持部１１がＩＣカード部１２の使用可否端子に、使用可を指示（Ｈｉｇｈ信号の入力）してこれを保持し（Ｓ１０）、ＩＣカード部１２を使用可の状態とさせる（Ｓ１１）。
【００４２】
一方、ステップ７で、使用不可が入力された場合には、コントロール部８が指示保持部１１に使用不可を指示する。（Ｓ８，Ｓ１２）。これにより、指示保持部１１がＩＣカード部１２の使用可否端子に、使用不可を指示（Ｌｏｗ信号の入力）してこれを保持し（Ｓ１３）、ＩＣカード部１２を使用不可の状態とさせる（Ｓ１４）。
【００４３】
上記のように、遠隔地からネットワーク１７を介してＩＣカード機能を停止することができ、携帯電話Ｃを置き忘れた場合や、該携帯機器が盗難にあった場合にも使用不可に設定できるので、不正使用を防止することができる。
【００４４】
なお、本例では、一つの使用可否端子に対して使用可／不可を指示する構成を示したが、これに限らず、次のような構成であっても良い。
【００４５】
（１）ＩＣカード部１２が複数の機能を有している場合に、これらの機能毎に使用可否端子を設けておき、ユーザがこれらの機能毎に使用の可否を選択し、これに応じて、コントロール部８が選択された機能のみについて使用の可否を判定して指示保持部１１に指示させる。これにより例えば、定期券の機能を使用可とし、プリペイドカードの機能を使用不可とするなどの選択的な制御ができる。
【００４６】
（２）更に、前記（１）の場合に、複数の機能のどれを使用可としてどれを使用不可とするかをユーザ毎に設定しても良い。例えば携帯電話Ｃを複数のユーザが使用する場合に、ユーザ毎に使用可の機能と使用不可の機能を対応付けてメモリ部９のユーザ管理テーブルに記憶しておき、コントロール部８は、起動時にバイオメトリックス情報の入力を求め、メモリ部９を参照してこのバイオメトリックス情報のユーザを特定し、このユーザが使用可の機能と使用不可の機能を読出し、それぞれ指示保持部１１に通知する。
【００４７】
（３）コントロール部８がＩＣカード機能の使用可／不可（判定結果）を予め記憶しておき、ＩＣカード部１２がＩＣカード機能の実行を開始するたびに、使用する機能を通信端子を介してコントロール部８に報告し、コントロール部８が当該機能の使用可／不可を通信端子を介して指示し、ＩＣカード部１２は、これに応じて使用可であれば機能を実行し、使用不可であれば機能を中止する。
【００４８】
（４）ＩＣカード部１２にユーザ管理テーブルを備え、これにコントロール部８が機能毎の使用可／不可と現在のユーザを予め書き込んでおき、ＩＣカード機能を実行するときに、ＩＣカード部１２が自己のユーザ管理テーブルを参照し、自己の使用可否を決める。
【００４９】
（５）ＩＣカード部１２が、ＩＣカード機能の実行を開始するたびに、コントロール部８に使用する機能を報告する。この報告に応じてコントロール部８は、指示保持部１１を介して当該機能の使用可／不可を一つの使用可否端子に対して指示する。これによりＩＣカード部が複数の機能を有していても使用可／不可を一つの端子で制御できる。
【００５０】
（６）コントロール部８がＩＣカード部１２の動作を監視し、ＩＣカード部１２の動作に応じて使用の可否を判定しても良い。例えば、コントロール部８が、プリペイドカードの機能を使用可とした後、プリペイドカード機能により支払い動作が完了したことを検知したら、再び使用不可の設定を行う。
【００５１】
なお、前記遠隔操作は、携帯電話Ｃに電話をかける例を示したが、これに限らずメールやチャット或は制御信号のみを送信するなど、ＩＣカード機能の使用可／不可を示す情報を携帯機器が受信できる構成であれば良い。
【００５２】
〈電源監視による使用可／不可の制御〉
図１０は、電源の監視結果に応じてＩＣカード機能の使用可／不可を制御する方法の説明図である。
電圧監視ＩＣ２１ｂは、電池部２２の電圧値を常に監視し（Ｓ５１）、この電圧値が第一の閾値以下か否かを判定し（Ｓ５２）、第一の閾値以下となった場合、この第一の閾値以下となった旨の信号を出力ＶＯＵＴからコントロール部８に通知する（Ｓ５３）。この通知に応じてコントロール部８は、現在の指示がロック状態（使用不可）であっても強制的にロックを解除して使用可となるように指示保持部１１に通知すると共に、通信部等（本例ではＩＣカード部１２、指示保持部１１、電圧監視ＩＣ２１以外の各部）の機能部への電力供給を停止、即ち携帯電話Ｃの電源をオフにさせる。（Ｓ５４）。
【００５３】
電圧監視ＩＣ２１ａは、携帯電話Ｃの電源オフ後も引き続き電圧値を監視し（Ｓ５５）、この電圧値が第二の閾値以下か否かを判定し（Ｓ５６）、第二の閾値以下となった場合に、出力ＶＯＵＴからの信号をＬｏｗとし、コントロール部８からの指示が使用可であっても強制的にロックして使用不可となるように指示保持部１１に通知する（Ｓ５７）。
なお、第一の閾値は、第二の閾値よりも高く設定しており、本実施形態では、第二の閾値をＩＣカード部の使用限界（例えば２．７Ｖ）とし、第一の閾値を第二の閾値よりもＩＣカード部１２が所定回使用可能なだけの電力を確保できる電圧値（例えば３．２Ｖ）とした。
【００５４】
これにより携帯機器の使用によって電池電圧が低下し、携帯機器の電源がオフになった場合にも、ＩＣカード機能の使用が確保できる。例えば駅のホームで通話している際に携帯電話が電池切れとなった場合にも、ＩＣカード機能を使用して駅の改札を通ることができる。
なお、図１０の例では、電池電圧が第一の閾値以下となった場合に無条件にＩＣカード部１２のロックを解除したが、遠隔操作によってロックされている場合には、置き忘れや盗難の可能性があるため、図１１に示すようにロックを解除しないように構成しても良い。
【００５５】
このためコントロール部８は、ステップ５３で電池電圧が第一の閾値以下となった通知を受けた際に遠隔操作によるロックがされているか否かを判定し（Ｓ６１）、ロックされていればロック状態のままとし、遠隔操作によってロックされていない場合には、前述と同様に処理を行う（Ｓ５４〜Ｓ５７）。
【００５６】
また、本実施形態では、電池電圧が極端に低くなった場合や、電池が携帯電話Ｃから外れた場合に、指示保持部１１やＩＣカード部１２の動作が不確定にならないように、指示保持部１１の入力ラインや出力ラインにプルダウン用の抵抗Ｒを設けて接地し、確実に使用不可となるようにしている。これにより電圧低下時の誤動作を防止している。
【００５７】
このため、使用可に設定していても電池の交換等のために電池部２２を着脱した場合、必ず使用不可となってしまうので、ユーザがその都度使用可に設定し直さなければならない。そこで、コントロール部８は、使用可／不可の制御を行った際に、この使用可／不可の情報をメモリ部９に記憶しておき、電池部２が取り付けられたことを検出し、メモリ部９を参照して直前の使用可／不可の情報を読み出し、これに基づいて使用可／不可を指示保持部１１に通知しても良い。これにより電池部２２を着脱しても直前の設定が復元されるので、設定しなおす作業を省略できる。
【００５８】
なお、本実施形態において機能部は、通信部７や、表示部４、生体認証部１０等としたが、これに限らず、ＩＣカード機能の使用可／不可を制御する契機となる所定の機能を実行するものであれば良い。例えば、遠隔ロックを行う機器であれば、少なくとも遠隔操作を受信する通信部を備え、電源電圧に応じてロックを行う機器であれば、少なくともＩＣカード部と電源を共用して動作するユニットを備えていれば良い。
【００５９】
〈その他の実施形態〉
本発明は、上述の図示例にのみ限定されるものではなく、本発明の要旨を逸脱しない範囲内において種々変更を加え得ることは勿論である。
例えば、以下に付記した構成であっても上述の実施形態と同様の効果が得られる。また、下記の構成は可能な限り組み合わせることができる。
【００６０】
（付記１）
ＩＣカード機能を実行するＩＣカード部と、
すくなくとも通信及び／又は表示の機能を実行する機能部と、
前記機能部の動作に応じてＩＣカード機能の使用の可／不可を判定し、この判定結果を出力する制御部と、
前記判定結果を受信して前記ＩＣカード部に使用の可／不可を指示し、この可／不可状態を前記制御部の非動作時にも保持する指示保持部と、
を備えた携帯機器。（１）
【００６１】
（付記２）
前記機能部として、ユーザからの情報の入力を受ける入力部を備え、
前記制御部が、該入力部からの入力情報に応じてＩＣカード機能の使用の可／不可を判定する付記１に記載の携帯機器。（２）
【００６２】
（付記３）
前記入力部からの入力情報が、パスワード又はバイオメトリックス情報である付記２に記載の携帯機器。
【００６３】
（付記４）
前記ＩＣカード部が複数の機能を有し、
前記制御部が、機能毎に使用の可／不可を判定し、
前記指示保持部が、該機能毎に使用の可／不可を指示する付記１に記載の携帯機器。
【００６４】
（付記５）
前記機能部として、他の装置との通信を行う通信部を備え、
前記制御部が、該通信部で受信した信号に応じてＩＣカード機能の使用の可／不可を判定する付記１に記載の携帯機器。
【００６５】
（付記６）
少なくとも前記ＩＣカード部及び前記機能部に電力を供給する電池部と、
該電池部からの電圧を検知する電源監視部とを備え、
該電源監視部で検知した電圧が所定値以下となった場合に、前記指示保持部から前記ＩＣカード部に使用不可を指示させる付記１から５の何れかに記載の携帯機器。
【００６６】
（付記７）
該電源監視部で検知した電圧が第一の閾値以下となった場合に、前記指示保持部から前記ＩＣカード部に使用可を指示させると共に前記機能部を停止させ、前記電源監視部で検知した電圧が第二の閾値以下となった場合に、前記指示保持部から前記ＩＣカード部に使用不可を指示させる付記６に記載の携帯機器。
【００６７】
（付記８）
前記指示保持部が指示した可／不可の情報を記憶する記憶部を備え、
前記電池部が着脱された場合に、前記制御部がこの着脱前の可／不可の情報を前記記憶部から読み出し、前記指示保持部にこの着脱前の可／不可と同じ指示をさせる付記６に記載の携帯機器。
【００６８】
（付記９）
ＩＣカード機能を実行するＩＣカード部と、
無線電話回線を介して通信を行う通信部と、
少なくとも前記ＩＣカード部及び前記通信部に電力を供給する電池部と、
該電池部からの電圧を検知する電源監視部と、
該電源監視部で検知した電圧値に応じてＩＣカード機能の使用の可／不可を判定し、この判定結果を出力する制御部と、
前記判定結果を受信して前記ＩＣカード部に使用の可／不可を指示し、この可／不可状態を前記制御部の非動作時にも保持する指示保持部と、
を備えた携帯機器。（３）
【００６９】
（付記１０）
前記電源監視部で検知した電圧が第一の閾値以下となった場合に、前記指示保持部から前記ＩＣカード部に使用可を指示させると共に前記通信部を停止させ、前記電源監視部で検知した電圧が第二の閾値以下となった場合に、前記指示保持部から前記ＩＣカード部に使用不可を指示させる付記９に記載の携帯機器。（４）
【００７０】
（付記１１）
ＩＣカード機能を実行するＩＣカード部と、少なくとも通信及び表示の機能を実行する機能部とを備える携帯装置が行うＩＣカード機能の制御方法であって、
前記機能部の動作に応じてＩＣカード機能の使用の可／不可を判定するステップと、
この判定結果に応じて前記ＩＣカード部に使用の可／不可を指示するステップと、
を含むＩＣカード機能の制御方法。（５）
【００７１】
（付記１２）
前記機能部として、ユーザからの情報の入力を受ける入力部を備えている場合に、
この入力部からの入力情報に応じてＩＣカード機能の使用の可／不可を判定する付記１１に記載のＩＣカード機能の制御方法。
【００７２】
（付記１３）
前記入力情報が、パスワード又はバイオメトリックス情報である付記１２に記載のＩＣカード機能の制御方法。
【００７３】
（付記１４）
前記ＩＣカード部が複数の機能を有している場合に、
前記ＩＣカード機能の使用の可／不可を判定するステップにて、この機能毎に使用の可／不可を判定し、
前記使用の可／不可を指示するステップにて、該機能毎に使用の可／不可を指示する付記１１に記載のＩＣカード機能の制御方法。
【００７４】
（付記１５）
前記機能部として、他の装置との通信を行う通信部を備えた場合に、
前記ＩＣカード機能の使用の可／不可を判定するステップにて、該通信部で受信した信号に応じてＩＣカード機能の使用の可／不可を判定する付記１１に記載のＩＣカード機能の制御方法。
【００７５】
（付記１６）
前記ＩＣカード部及び前記機能部に電力を供給する電池部の電圧を検知するステップと、
該検知した電圧が所定値以下となった場合に、前記ＩＣカード部に使用不可を指示させる付記１１から１５の何れかに記載のＩＣカード機能の制御方法。
【００７６】
（付記１７）
前記検知した電圧が第一の閾値以下となった場合に、前記ＩＣカード部に使用可を指示させると共に前記機能部を停止させ、前記検知した電圧が第二の閾値以下となった場合に
、前記ＩＣカード部に使用不可を指示させる付記１６に記載のＩＣカード機能の制御方法。
【００７７】
（付記１８）
前記電池部が着脱された場合に、この着脱前の可／不可の情報を記憶部から読み出し、前記ＩＣカード部にこの着脱前の可／不可と同じ指示をする付記１６に記載のＩＣカード機能の制御方法。
【００７８】
（付記１９）
ＩＣカード機能を実行するＩＣカード部と無線電話回線を介して通信を行う通信部とを備える携帯機器が行うＩＣカード機能の制御方法であって、
前記ＩＣカード部及び前記通信部に電力を供給する電池部の電圧を検知するステップと、
該検知した電圧値に応じてＩＣカード機能の使用の可／不可を判定するステップと、
前記判定結果に応じて前記ＩＣカード部に使用の可／不可を指示するステップと、
を含むＩＣカード機能の制御方法。（６）
【００７９】
（付記２０）
前記検知した電圧が第一の閾値以下となった場合に、前記ＩＣカード部に使用可を指示させると共に前記通信部を停止させ、前記検知した電圧が第二の閾値以下となった場合に、前記ＩＣカード部に使用不可を指示させる付記１９に記載のＩＣカード機能の制御方法。（７）
【００８０】
（付記２１）
ＩＣカード機能を実行するＩＣカード部と、少なくとも通信及び／又は表示の機能を実行する機能部とを備える携帯装置が実行するＩＣカード機能の制御プログラムであって、
前記機能部の動作に応じてＩＣカード機能の使用の可／不可を判定するステップと、
この判定結果に応じて前記ＩＣカード部に使用の可／不可を指示するステップと、
を含むＩＣカード機能の制御プログラム。（８）
【００８１】
（付記２２）
前記機能部として、ユーザからの情報の入力を受ける入力部を備えている場合に、
この入力部からの入力情報に応じてＩＣカード機能の使用の可／不可を判定する付記２１に記載のＩＣカード機能の制御プログラム。
【００８２】
（付記２３）
前記入力情報が、パスワード又はバイオメトリックス情報である付記２２に記載のＩＣカード機能の制御プログラム。
【００８３】
（付記２４）
前記ＩＣカード部が複数の機能を有している場合に、
前記ＩＣカード機能の使用の可／不可を判定するステップにて、この機能毎に使用の可／不可を判定し、
前記使用の可／不可を指示するステップにて、該機能毎に使用の可／不可を指示する付記２１に記載のＩＣカード機能の制御プログラム。
【００８４】
（付記２５）
前記機能部として、他の装置との通信を行う通信部を備えた場合に、
前記ＩＣカード機能の使用の可／不可を判定するステップにて、該通信部で受信した信号に応じてＩＣカード機能の使用の可／不可を判定する付記２１に記載のＩＣカード機能
の制御プログラム。
【００８５】
（付記２６）
前記ＩＣカード部及び前記機能部に電力を供給する電池部の電圧を検知するステップと、
該検知した電圧が所定値以下となった場合に、前記ＩＣカード部に使用不可を指示させる付記２１から１５の何れかに記載のＩＣカード機能の制御プログラム。
【００８６】
（付記２７）
前記検知した電圧が第一の閾値以下となった場合に、前記ＩＣカード部に使用可を指示させると共に前記機能部を停止させ、前記検知した電圧が第二の閾値以下となった場合に、前記ＩＣカード部に使用不可を指示させる付記２６に記載のＩＣカード機能の制御プログラム。
【００８７】
（付記２８）
前記電池部が着脱された場合に、この着脱前の可／不可の情報を記憶部から読み出し、前記ＩＣカード部にこの着脱前の可／不可と同じ指示をする付記２６に記載のＩＣカード機能の制御プログラム。
【００８８】
（付記２９）
ＩＣカード機能を実行するＩＣカード部と無線電話回線を介して通信を行う通信部とを備える携帯機器が行うＩＣカード機能の制御プログラムであって、
前記ＩＣカード部及び前記通信部に電力を供給する電池部の電圧を検知するステップと、
該検知した電圧値に応じてＩＣカード機能の使用の可／不可を判定するステップと、
前記判定結果に応じて前記ＩＣカード部に使用の可／不可を指示するステップと、
を含むＩＣカード機能の制御プログラム。（９）
【００８９】
（付記３０）
前記検知した電圧が第一の閾値以下となった場合に、前記ＩＣカード部に使用可を指示させると共に前記通信部を停止させ、前記検知した電圧が第二の閾値以下となった場合に、前記ＩＣカード部に使用不可を指示させる付記２９に記載のＩＣカード機能の制御プログラム。（１０）
【産業上の利用可能性】
【００９０】
本発明は、携帯電話やＰＤＡ、ノートパソコン、時計、車載コンピュータ、ＥＴＣ端末、ゲーム機など、ＩＣカード部を設けることが可能な携帯型の電子機器に広く適用できる。
【図面の簡単な説明】
【００９１】
【図１】ＩＣカード機能を有した携帯機器の構成図
【図２】指示保持部及び電圧監視ＩＣの構成図
【図３】キー操作でＩＣカード機能の使用可／不可を制御する方法の説明図
【図４】キー操作でＩＣカード機能の使用可／不可を制御する方法の説明図
【図５】ＩＣ機能の使用可否を遠隔操作で制御する方法の説明図
【図６】ＩＣ機能の使用可否を遠隔操作で制御する方法の説明図
【図７】ＩＣ機能の使用可否を遠隔操作で制御する方法の説明図
【図８】ＩＣ機能の使用可否を遠隔操作で制御する方法の説明図
【図９】ＩＣ機能の使用可否を遠隔操作で制御する方法の説明図
【図１０】電源の監視結果に応じてＩＣカード機能の使用可／不可を制御する方法の説明図
【図１１】電源の監視結果に応じてＩＣカード機能の使用可／不可を制御する方法の説明図
【符号の説明】
【００９２】
１ マイク
２ スピーカ
３ 音声制御部
４ 表示部
５ 操作部
６ 携帯電話用アンテナ
７ ＲＦ部（通信部）
８ コントロール部
９ メモリ部
１０ 生体認証部
１１ 指示保持部
１２ カード部
１３ 使用可否制御端子
１４ カード機能用アンテナ
１５ ＩＣカード用端末（リーダ・ライタ）
１６ 電話機
１７ ネットワーク（無線電話回線）
１８ オンライン接続用サーバ
２１ 電源監視部
２２ 電池部
【図１】
2008211849.tif 000003
【図２】
2008211849.tif 000004
【図３】
2008211849.tif 000005
【図４】
2008211849.tif 000006
【図５】
2008211849.tif 000007
【図６】
2008211849.tif 000008
【図７】
2008211849.tif 000009
【図８】
2008211849.tif 000010
【図９】
2008211849.tif 000011
【図１０】
2008211849.tif 000012
【図１１】
2008211849.tif 000013